(57)【要約】【課題】ユーザにとって必要な録画開始部分が欠落した録画を回避することができる録画装置を提供する。【解決手段】単層又は多層の情報記録層を備える光ディスクにデータを記録するＢＤドライブ７を具備する録画装置２００であって、ＢＤドライブ７に光ディスクを載置後にＢＤドライブ７の起動を実行する起動実行部と、ＢＤドライブ７に光ディスクを載置後に光ディスクの層数を判定する層数判定部と、光ディスクの層数に基づいて算出される起動処理の終了時刻と録画開始時刻とに基づき、録画の録画先を光ディスクまたは他の記録媒体に決定する判定部と、判定部によって決定された録画の録画先に録画を実行する録画部とを備えた録画装置である。【選択図】図２
2010140517.tif 000002
【特許請求の範囲】
【請求項１】
単層又は多層の情報記録層を備える光ディスクにデータを記録する光ディスクドライブを具備する録画装置であって、
前記光ディスクドライブに光ディスクを載置後に前記光ディスクドライブの起動を実行する起動実行手段と、
前記光ディスクドライブに光ディスクを載置後に前記光ディスクの層数を判定する層数判定手段と、
前記光ディスクの層数に基づいて算出される起動処理の終了時刻と録画開始時刻とに基づき、前記録画の録画先を前記光ディスクまたは他の記録媒体に決定する判定手段と、
前記判定手段によって決定された前記録画の録画先に前記録画を実行する録画手段と
を備えた、録画装置。
【請求項２】
録画装置がムービであって、録画開始ボタンを有し、
前記判定手段は、前記録画開始ボタンが押下された録画開始時刻と、前記起動処理の終了時刻とに基づいて、前記録画の録画先を前記光ディスクまたは他の記録媒体に決定する、請求項１記載の録画装置。
【請求項３】
録画装置がレコーダであって、録画先を光ディスクとした特定の番組の予約録画を設定する手段を有し、
前記判定手段は、前記予約録画の開始時刻と、前記起動処理の終了時刻とに基づいて、前記録画の録画先を前記光ディスクまたは他の記録媒体に決定する、請求項１記載の録画装置。
【請求項４】
光ディスク表面の指紋検出を実行する指紋検出手段と、
光ディスク表面に指紋が検出された場合に所定の動作を実行するアクション手段を有し、
前記層数判定手段が３層以上の光ディスクと判定した場合、前記判定手段は、前記指紋検出手段による光ディスク表面の指紋検出処理、前記アクション手段による所定の動作を行う処理、および前記光ディスクの層数に基づいて算出される起動処理の全ての処理が終了する終了時刻と、録画開始時刻とに基づき、前記録画の録画先を前記光ディスク又は他の記録媒体に決定する、請求項１記載の録画装置。
【請求項５】
光ディスクの層数とその層数を有する光ディスクに対する起動処理時間との対応を記した記録手段を有し、
前記判定手段は、前記記録手段を用いて光ディスクの層数に基づいた起動処理時間を得て起動処理の終了時刻を算出する、請求項１記載の録画装置。
【請求項６】
前記アクション手段は、光ディスク表面に検出された指紋のクリーニングを通知するクリーニング通知手段又は光ディスク表面に検出された指紋を自動クリーニングするクリーニング手段である、請求項４記載の録画装置。
【請求項７】
前記判定手段が、前記録画の録画先を他の記録媒体に決定した場合、前記録画手段によって他の記録媒体に録画されたデータを前記光ディスクに自動ダビングするダビング手段を有する、請求項１記載の録画装置。
【請求項８】
前記録画手段が、他の記録媒体にすべてのデータを録画した後に、前記ダビング手段は、前記録画分のすべてのデータを前記光ディスクに自動ダビングする、請求項７記載の録画装置。
【発明の詳細な説明】
【技術分野】
【０００１】
本発明は単層又は多層に対応した光ディスクにデータを録画する光ディスク装置（光ディスクドライブ）を搭載した録画装置に関し、特に予約録画の録画先として光ディスクに予約録画を行う際、光ディスク装置の起動処理時間と予約録画開始に至る時間とに基づいて、予約録画の録画先を光ディスクまたは他の記録媒体に決定する録画装置に関している。
【背景技術】
【０００２】
光ディスクに記録されているデータは、比較的弱い一定の光量の光ビームを回転する光ディスクに照射し、光ディスクによって変調された反射光を検出することによって再生される。
【０００３】
再生専用の光ディスクには、光ディスクの製造段階でピットによる情報が予めスパイラル状に記録されている。これに対して、書き換え可能な光ディスクでは、スパイラル状のランドまたはグルーブを有するトラックが形成された基材表面に、光学的にデータの記録／再生が可能な記録材料膜が蒸着等の方法によって堆積されている。書き換え可能な光ディスクにデータを記録する場合は、記録すべきデータに応じて光量を変調した光ビームを光ディスクに照射し、それによって記録材料膜の特性を局所的に変化させることによってデータの書き込みを行う。
【０００４】
なお、ピットの深さ、トラックの深さ、および記録材料膜の厚さは、光ディスク基材の厚さに比べて小さい。このため、光ディスクにおいてデータが記録されている部分は、２次元的な面を構成しており、「記録面」または「情報面」と称される場合がある。本明細書では、このような面が深さ方向にも物理的な大きさを有していることを考慮し、「記録面（情報面）」の語句を用いる代わりに、「情報層」の語句を用いることとする。光ディスクは、このような情報層を少なくとも１つ有している。なお、１つの情報層が、現実には、相変化材料層や反射層などの複数の層を含んでいてもよい。
【０００５】
光ディスクに記録されているデータを再生するとき、または、記録可能な光ディスクにデータを記録するとき、光ビームが情報層における目標トラック上で常に所定の集束状態となる必要がある。このためには、「フォーカス制御」および「トラッキング制御」が必要となる。「フォーカス制御」は、光ビームの焦点（集束点）の位置が常に情報層上に位置するように対物レンズの位置を情報面の法線方向（以下、「基板の深さ方向」と称する場合がある。）に制御することである。一方、トラッキング制御とは、光ビームのスポットが所定のトラック上に位置するように対物レンズの位置を光ディスクの半径方向（以下、「ディスク径方向」と称する。）に制御することである。
【０００６】
上述したフォーカス制御およびトラッキング制御を行うためには、光ディスクから反射される光に基づいて、フォーカスずれやトラックずれを検知し、そのずれを縮小するように光ビームスポットの位置を調整することが必要である。フォーカスずれおよびトラックずれの大きさは、それぞれ、光ディスクからの反射光に基づいて生成される「フォーカス誤差（ＦＥ）信号」および「トラッキング誤差（ＴＥ）信号」によって示される。
【０００７】
光ディスクの表面に指紋が付着すると、光ビームが指紋を横切るときに反射光量が低下し、光ビーム状の強度分布が不均一に低下するため、ＴＥ信号に対して外乱が入ることになり、トラッキングに異常が生じるため、トラック飛びなどのトラック外れが発生してしまうという問題があった。従来、このようなトラック外れを防止するため、特許文献１では反射光量の低下などを積極的に検出して、指紋を含むディフェクトの存在を検知したときは、検出した結果を使用者に通知することで予測可能な記録の失敗を防止する一方、ディスクの汚れを使用者が認知した上で行う記録再生については許容し、更には繰り返しの告知を回避する手段を設けることによって、ディスク汚れによる記録失敗の回避と、記録再生機会の確保とを両立させるようにしていた。
一方急速な地デジのインフラ整備と、大型薄型テレビの普及にともなって、高画質のデジタルハイビジョン放送の録画ニーズが高まり、今後はＤＶＤからＢＤへの急速なメディアチェンジが加速される方向である。高画質のデジタル放送は、ＭＰＥＧ−ＴＳの圧縮フォーマットで１６〜２４Ｍｂｐｓの転送レートで送波されており、従来のアナログ放送の記録より転送レートが高いため、ＤＶＤではわずか２０分程度であるが、ＢＤ２層５０ＧＢあれば４．５時間から６時間の録画が可能である。近年、さらに録画できる時間をのばすために多層型のＢＤの研究開発が盛んに行われており、ＢＤの３層〜６層（２００ＧＢ）から、１６層、２０層（５００ＧＢ）の開発発表や提案がされている。この実現によって、ハードディスクを搭載しなくても、１枚のＢＤだけで相当分の録画時間を確保することができる。
【特許文献１】特開２００６−１７９１３６号公報
【発明の開示】
【発明が解決しようとする課題】
【０００８】
従来技術においては、指紋以外のディフェクト、例えば光ディスクの汚れ、擦り傷、掻き傷、塵埃なども反射光強度の振幅（以下、「ＲＦ振幅」と称する）の低下に基づいて検出していた。このため、どのような種類のディフェクトでも、検知がなされたとき、ディフェクトが光ディスク上に存在することを通知するのみであった。このため、ユーザは、ディフェクトが存在する光ディスクを、他の光ディスクと交換するしかなかった。
しかしながら、留守録時や、ユーザが記録開始の設定後に就寝する夜間などには、ユーザにディフェクト検知を通知しても、光ディスクを交換することができない。このような場合には、記録品質が落ちるのを覚悟して、ディフェクトが検知された光ディスクに対して記録を開始または続行するか、エラーを表示して記録を中断するしかなかった。よって多層ＢＤで実現できるハードディスクの代用や、ダビングしてアーカイブする手間を省くため、オリンピックやドラマ１クールの丸ごと録画などの長時間連続録画が実用的には難しいという課題があった。
特にＢＤは、ＤＶＤよりも傷に対して敏感である。しかしベア光ディスク（裸光ディスク）で標準化されており、新品光ディスクをケースから出し、ドライブに装填する際に意図せず微少な指紋を付着していても、その影響でトラック飛びや記録エラーを発生する場合がある。ＢＤは指紋が付着すると記録ができない、あるいは記録したものが読み出せない、といった問題が発生し得る。また、実験的にも、ＢＤに指紋が存在すると、ＲＦ振幅が明らかに低下し、ＤＶＤよりも指紋に対して弱いことは原理的に想定されていた。
さらに光ディスクの多層化が進むと、各記録層の反射率は、光学ロスによって反射率３％以下（ＢＤ２層は４％以上）となり、指紋によってさらにロスが発生すると、ほとんど信号振幅が得られないなど、より問題は深刻化する。またＢＤ２層では光透過層厚は、７５μｍであったが、ＢＤ１６層では現状の実験検討では２０μｍ程度と極めて薄くなり、表面に近い側の記録層になればなるほど、表面でのビームスポット径に対する指紋の影響する範囲が大きくなり、サーボ信号へも影響を及ぼして、記録や再生中にその指紋部分を通過する際、トラック飛びが生じてしまう。
そこで、本発明者は、上記多層光ディスクに伴う指紋の問題に鑑み、前回の特許出願（特願2008-179855）において、耐指紋性能の低い多層光ディスクを積極的に判別し、多層光ディスクであれば、光ディスク上の指紋を検出し、指紋のクリーニング通知あるいは自動クリーニングを実施し、全層で正確でかつ安定な記録ができる信頼性の高い光ディスク装置について出願を行った。
しかし本発明者は、光ディスクの多層数に応じた起動時間（８層ＢＤでは、起動処理に約６０秒かかる）および/または、指紋のクリーニング通知あるいは自動クリーニングの時間（起動時間とクリーニングに要する時間とを総称して起動処理時間という）を考えた場合、その起動処理時間は、ＤＶＤや単層、２層ＢＤを用いて記録する場合の処理時間よりも多くの時間を要する為、所定のユースケースにおいて問題になってくると考えた。その典型的なユースケースとは、1）ユーザが外出前に光ディスクレコーダを用いて多層ＢＤなどの光ディスクへの予約録画を行う場合、2）ユーザがムービを用いて多層ＢＤなどの光ディスクへ録画を開始する場合などである。上記1）のケースでは起動処理の間に録画開始時間になり、予約録画で指定した番組の冒頭部分が録画できないといった課題が発生し得ると考えた。
上記課題の原因を上記1）のケースにおいて考察すると、上記起動処理時間に関するユーザの認識とのずれに起因すると推察する。従来から光ディスク装置を使用してＤＶＤや単層/２層ＢＤに録画してきたユーザは、装置使用の経験上、２０秒弱で光ディスク装置が起動できると認識していた。今後、さらに録画できる時間を伸ばすために多層型のＢＤの研究開発が盛んに行われているが、８層ＢＤでは６０秒、１０層ＢＤでは１分以上も光ディスク装置の起動時間が必要となる。そのため、ユーザは光ディスク装置の起動時間に１分以上時間が必要であるとの認識がなく、ユーザの起動時間に対する認識のずれのため、上記予約録画において番組の冒頭部分が欠落した録画が起こり得る。
【０００９】
ユーザは、今までＤＶＤなどの光ディスクに予約録画が十分できていたものが、新しい多層のＢＤ等では予約録画がうまく行かないことに納得がいかず、その結果、メーカーの相談窓口に光ディスク装置の故障について苦情を訴えるケースもあり得る。以上から新しい多層型のＢＤによる録画を行う場合、メーカーにとってユーザに迷惑が掛からない配慮を行った録画装置の開発が必要である。
【００１０】
従って、本発明の目的は、ユーザにとって必要な録画開始部分が欠落した録画を回避することができる録画装置を提供することを目的とする。
【課題を解決するための手段】
【００１１】
本発明の録画記録装置は、単層又は多層の情報記録層を備える光ディスクにデータを記録する光ディスクドライブを具備する録画装置であって、前記光ディスクドライブに光ディスクを載置後に前記光ディスクドライブの起動を実行する起動実行手段と、前記光ディスクドライブに光ディスクを載置後に前記光ディスクの層数を判定する層数判定手段と、前記光ディスクの層数に基づいて算出される起動処理の終了時刻と録画開始時刻とに基づき、前記録画の録画先を前記光ディスクまたは他の記録媒体に決定する判定手段と、前記判定手段によって決定された前記録画の録画先に前記録画を実行する録画手段とを備えた、録画装置である。
また本発明の録画装置がムービである場合、ムービには録画開始ボタンを有し、前記判定手段は、前記録画開始ボタンが押下された録画開始時刻と、前記起動処理の終了時刻とに基づいて、前記録画の録画先を前記光ディスクまたは他の記録媒体に決定する、実装が望ましい。
また本発明の録画装置がレコーダである場合、レコーダには録画先を光ディスクとした特定の番組の予約録画を設定する手段を有し、前記判定手段は、前記予約録画の開始時刻と、前記起動処理の終了時刻とに基づいて、前記録画の録画先を前記光ディスクまたは他の記録媒体に決定する、実装が望ましい。
また本発明の録画装置には、光ディスク表面の指紋検出を実行する指紋検出手段と、光ディスク表面に指紋が検出された場合に所定の動作を実行するアクション手段を有し、前記層数判定手段が３層以上の光ディスクと判定した場合、前記判定手段は、前記指紋検出手段による光ディスク表面の指紋検出処理、前記アクション手段による所定の動作を行う処理、および前記光ディスクの層数に基づいて算出される起動処理の全ての処理が終了する終了時刻と、録画開始時刻とに基づき、前記録画の録画先を前記光ディスク又は他の記録媒体に決定する、実装が望ましい。
また本発明の録画装置は、前記判定手段が、前記録画の録画先を他の記録媒体に決定した場合、前記録画手段によって他の記録媒体に録画されたデータを前記光ディスクに自動ダビングするダビング手段を有することが望ましい。
【発明の効果】
【００１２】
本発明の光ディスク装置は、判定手段がディスクの層数に基づいて算出される起動処理の終了時刻と録画開始時刻とに基づき、録画先を光ディスクまたは他の記録媒体に決定するので、録画先に指定された光ディスクまたは他の記録媒体に確実に録画することができる。そのため、ユーザにとって必要な録画開始部分が欠落した録画を回避することができる。特に録画装置がレコーダの場合は、予約録画において番組の冒頭部分が欠落した録画を回避することができる。
本発明の光ディスク装置は、判定手段が指紋検出手段による光ディスク表面の指紋検出処理、アクション手段による所定の動作を行う処理、および光ディスクの層数に基づいて算出される起動処理の全ての処理が終了する終了時刻と、録画開始時刻とに基づき、録画の録画先を光ディスク又は他の記録媒体に決定する場合は、起動処理時間に加えて指紋検出結果に基づいてアクション手段が所定の動作を行う処理時間も考慮して代替録画先を決定することになり、録画が可能となる処理時間が最大となる状況においても予約録画において番組の冒頭の部分が欠落した録画を回避することができる。
また、ダビング手段が、録画手段によって他の記録媒体に録画されたデータを光ディスクに自動ダビングするので、ユーザは他の記録媒体に代替録画されたことを意識しなくて済む。
【発明を実施するための最良の形態】
【００１３】
（実施形態１）
本実施の形態では、本発明の録画装置としてＨＤＤ内蔵光ディスクレコーダに適用した場合について説明する。
図１は、第１実施形態に係る融合型レコーダの利用形態を示す図である。
【００１４】
ＨＤＤ内蔵光ディスクレコーダ２００は、アンテナ２０１を介して受信したアナログ放送信号形式の番組をＭＰＥＧ２形式に変換し、ＨＤＤ又はトレーに搭置されたＢＤ（ＢＤ-Ｒ,ＢＤ-ＲＥなどの光ディスク）に記録する装置である。また融合型レコーダ２００は、ＨＤＤに記録している番組をＢＤへダビングすることができる。
【００１５】
モニタ２０２は、ＨＤＤ内蔵光ディスクレコーダ２００ が出力する動画データを表示する装置である。ＢＤは、ユーザが所有する可搬型記録媒体であり、このディスクがＨＤＤ内蔵光ディスクレコーダ２００のトレーに載置される。
【００１６】
次に、ＨＤＤ内蔵光ディスクレコーダ２００のハードウェア構成について説明する。光ディスクレコーダ２００は、図２に示すように、チューナ１、エンコーダ２、デコーダ３、ＯＳＤ生成部４、オーバレイ部５、ＨＤＤ６、ＢＤドライブ７、ユーザ操作受付部８、マイコンシステム９、通信部１０、バス１１とを備える。エンコーダ２、デコーダ３、ＯＳＤ生成部４、ＨＤＤ６、ＢＤドライブ７、マイコンシステム９、及び通信部１０は、バス１１を介して相互接続される。
【００１７】
チューナ１は、アンテナ２０１で受信した放送波の復調及び選局を行って、アナログ放送信号形式の番組（コンテンツ）を取得する。
【００１８】
エンコーダ２は、アナログ放送信号形式の番組をＡ／Ｄ変換し、さらに、ＭＰＥＧ２形式に従って圧縮符号化し、ＭＰＥＧ２形式の番組を生成する。
【００１９】
デコーダ３は、ＭＰＥＧ２形式の番組を伸長して、さらに、Ｄ／Ａ変換を施してアナログ映像信号形式の番組に変換する。
【００２０】
ＯＳＤ生成部４は、光ディスクレコーダ２００の設定や番組に関する情報を示すＯＳＤの画像データを生成する。
【００２１】
オーバレイ部５は、アナログ映像信号形式の番組に、ＯＳＤ画像データを重畳してモニタ２０２へ出力する。
【００２２】
ＨＤＤ６は、内蔵する大容量のＨＤ に対して、ＭＰＥＧ２形式の番組の書き込み、読み出しを行う。ここでＨＤへ番組を書き込む際には、番組を一意に識別する識別子（以下、番組ＩＤと言う）、番組が記録される領域のアドレス、データ量、番組のタイトル等からなる番組情報も共に書き込む。
【００２３】
ＢＤドライブ７は、取り付けられた光ディスクに対するデータの書き込み、読み出しを行う。
【００２４】
ユーザ操作受付部８は、光ディスクレコーダ２００の前面に設けられた操作パネルやリモコンを介して入力されるユーザ操作を受け付ける。
【００２５】
マイコンシステム９は、ＣＰＵ、ＲＯＭ、ＲＡＭ、ＥＥＰＲＯＭからなるコンピュータシステムである。ＲＯＭ に格納されたコンピュータプログラムがＣＰＵに読み込まれ、コンピュータプログラムとハードウェア資源とが協動することにより、光ディスクレコーダ２００はその機能を達成する。
【００２６】
通信部１０は、インターネット等のネットワークを介して外部機器との通信を実現する。以上が、光ディスクレコーダ２００のハードウェア構成である。
【００２７】
続いてコンピュータプログラムとハードウェア資源とが協働することにより実現されるマイコンシステム９の機能について説明する。図３は、マイコンシステム９の機能構成を示すブロック図である。マイコンシステム９は図に示すように、予約設定部２１、予約情報保持部２２、処理時間記録部２３、時計部２４、制御部２５、起動制御部２６、ダビング制御部２７、予約録画制御部２８、表示部２９、録画部３０、ダビング情報保持部３１の各機能ブロックからなる。
【００２８】
予約設定部２１は、予約設定処理を制御する。予約設定処理の制御とは、ＯＳＤ生成部４ 、オーバレイ部５によるＯＳＤ表示を制御してユーザ操作受付部８からユーザの操作を対話的に受け付けることにより、録画したい番組について、放送日、放送開始時刻、放送終了時刻、チャンネル、タイトル、録画画質、及び、番組の録画先の指定を取得し、これらを予約情報として予約情報保持部２２に記録することである。
処理時間記録部２３は、ＢＤドライブ７において判定されたＢＤの多層数に対応した起動処理時間、指紋処理時間、アクション処理時間（本実施形態では、自動クリーニング処理時間）を含む合計の起動処理時間を制御部２３へ通知する機能ブロックである。
【００２９】
制御部２５は、主に番組の録画を制御する機能ブロックであって、内部に起動制御部２６とダビング制御部２７と予約録画制御部２８とを含む。
【００３０】
起動制御部２６は、ＢＤドライブ７のトレーにＢＤが載置されたことを受けて、ＢＤドライブ７の起動処理の開始を制御する。
【００３１】
予約録画制御部２８は、予約情報に基づいて、番組の放送を録画する予約録画処理を制御する。予約録画処理の制御は、時計部２４から現在時刻の通知をうけ、予約情報に設定された放送日、放送開始時刻が到来した場合に、設定されたチャンネルをチューナ１に選局させてアナログ放送信号形式の番組を受信させ、これを録画画質で指定された割当ビットレートでエンコーダ２にエンコードさせ、エンコードされた番組を、ＨＤＤ６またはＢＤドライブ７に書き込ませ、その後、放送終了時刻が到来した場合に、チューナ１ 、エンコーダ２ 、及び、ＨＤＤ６またはＢＤドライブ７に処理を終了させることでなされる。
【００３２】
ここで、予約録画制御部２８による予約録画処理の特徴は、予約情報においてＢＤへ番組を録画するよう指示されている場合の制御にある。従来の光ディスクレコーダにおける予約録画処理では、放送開始時刻が到来した時点でＢＤドライブ７の起動処理が終了していない場合でも、ＢＤに予約録画で設定した番組の冒頭部分が欠落した録画を行うが、本発明における予約録画処理では、放送開始時刻が到来した時点でＢＤドライブ７の起動処理が終了していない場合は、代替録画としてＨＤＤ６に番組を書き込ませる。
【００３３】
具体的には、予約録画制御部２８は、ＢＤドライブ７のトレーに載置された光ディスクが３層以上のＢＤであるという通知を受けて、その時刻ｔ1を時計部２４から取得し、図５に示す処理時間保持部２３に記録された、多層数に対応する起動処理時間、指紋処理時間、自動クリーニング時間の合計の起動処理時間Ａを取得する。さらに予約情報保持部２２に記録されている番組（タイトル）の放送開始時刻ｔ２を取得する。予約録画制御部２８は、取得した（放送開始時刻ｔ２−時刻ｔ1）と処理時間Ａとを比較し、図６（ｂ）に示すような処理時間Ａが大きい場合は、代替録画としてＨＤＤ６に番組を書き込ませる。図６（ａ）に示すような処理時間Ａが小さい場合は、ＢＤドライブ７に搭載されたＢＤに番組を書き込ませる。
【００３４】
録画部３０は、ＨＤＤ６またはＢＤドライブ７による番組の書き込みを制御し、さらに、記録した番組に対応付けて番組情報をＨＤＤ６またはＢＤドライブ７に記録させる。
【００３５】
表示部２９は、ＢＤドライブ７に自動クリーニング機構が搭載されていない場合において、ＢＤのクリーニングが必要であることや、トレーに載置された光ディスクでは記録/再生動作ができないことなどを警告する警告処理を制御する機能ブロックである。警告処理の制御は、ＯＳＤ生成部４、及びオーバレイ部５によるＯＳＤ表示を制御して、ユーザにディスクのクリーニングを要求する警告画像や、記録/再生動作ができないことを警告する画像をモニタ２０２へ表示させることによりなされる。
さらに、本発明における予約録画処理では、ＨＤＤ６に番組を代替録画させた場合、ＨＤＤ６へ代替録画された番組の番組ＩＤと、予約情報において録画先に指定されていたディスクのメディア管理番号、若しくはディスクの名称とを用いて、ダビング情報を生成し、ダビング情報保持部３１へ記録する。
【００３６】
ダビング制御部２７は、ＨＤＤ６へ代替録画された番組をＢＤへダビングするダビング処理を、ダビング情報保持部３１に記録されたダビング情報に基づいて制御する。
【００３７】
予約情報保持部２２、及びダビング情報保持部３１は、具体的にはコンピュータプログラムの実行によりＥＥＰＲＯＭに確保される領域である。これらの領域に記録される各情報は、ＥＥＰＲＯＭが不揮発性であるため光ディスクレコーダ２００の電源が切られた場合も失われることがない。また処理時間保持部２３は、マイコンシステム９内のＲＯＭに記録されており、図５に示すフォーマットの処理時間情報を保持する。以上がマイコンシステム９の機能構成の説明である。
次にＢＤドライブ７の内部構成について説明する。本ＢＤドライブ７は、装置の起動時に多層ＢＤ判別をして、３層以上のＢＤの場合には指紋検出を行う。その指紋検出結果に応じて自動クリーニングなどの適切な処理動作を行う。
以下、指紋検出機構と自動クリーニング機構を搭載した光ディスク装置の実施形態を説明する。図４は、ＢＤドライブ７の構成を示すブロック図であり、図７は、指紋検出回路の機能ブロックを示す図である。
【００３８】
ＢＤドライブ７は、光ビームを光ディスク１００上に集束させる光学系、光ディスクからの反射光を検出する光検出器、および光源としてレーザダイオード（不図示）を有する光ピックアップ１０３と、光ピックアップ１０３の動作を制御するサーボ制御回路１０６と、光ピックアップ１０３で検出した光ディスク１００上の情報信号を再生する再生回路１１０と、記録する情報に基づいて所定の変調方式でレーザダイオードをパルス状に発光させることにより、前記情報を光ディスク１００に書き込む記録回路１２２とを備えている。
光ピックアップ１０３は、光ディスクモータ１０１上に装填された光ディスク１００に対し、集束されたレーザ光を照射する。ＲＦサーボアンプ１０４は、光ディスク１００から反射された光に基づいて電気信号を生成する。サーボ制御回路１０６は、光ディスクモータ１０１に装填された光ディスク１００にフォーカスおよびトラッキング制御を実施する。また、サーボ制御回路１０６は、光ディスク１００に対して光源およびレンズを用いて光ビームを照射することによって光ディスク１００がＢＤディスクであるかのディスク判別、単層もしくは２層か、２層より多い情報記録層をもつかの多層判別を行うディスク判別部１０９を含む。
【００３９】
再生回路１１０は、ＲＦサーボアンプ１０４から出力された電気信号を波形等価回路１１１でイコライジングしてアナログ再生信号を生成する。生成された再生信号は２値化回路１１２でデジタル化された後、ＰＬＬ回路１１３によってリードクロック（基準クロック）と同期し、データ抽出がなされる。その後、復調回路１１４、エラー訂正回路１１５によって所定数のブロック毎にエラー訂正を実行する。再生回路１１０から出力された信号は、システムコントローラ１３０に入力される。システムコントローラ１３０は、Ｉ／Ｆ回路１３１と指紋処理部１３２とを有している。再生回路１１０からシステムコントローラ１３０に入力された信号は、Ｉ／Ｆ回路１３１を介して光ディスクレコーダ（ホスト）２００のバス１１へと転送される。
記録回路１２２は、ヘッダやエラー訂正のための冗長ビットなどを付加するフォーマッタ部１２３と、所定の変調パターン（変調方式）に変調する変調回路１２４と、レーザ駆動回路１０７に入力するためのアナログ信号に変換するＤＡ変換器１２５とを備えている。記録回路１２２は、光ディスクレコーダ１４０からＩ／Ｆ回路１３１を介して送られてくる情報を光ディスク１００に記録するため、光ピックアップ１０３の中のレーザダイオード（不図示）をパルス状に発光させる。光ディスク１００に入射するレーザ光の強度変調に応じて、光ディスク１００の記録材料（たとえば有機材料や相変化材料）の反射率を変えることで、「１」または「０」の情報の記録を行う。
【００４０】
光ビームが光ディスク１００上に存在する指紋を通過するとき、光ビームが指紋のドットを横切っているのか、それともドットとドットとの間の領域を横切っているかに応じて、ＲＦサーボアンプ１０４の出力信号の振幅が顕著に変化する。指紋検出回路１１６は、その振幅の変化を計測することにより、指紋の有無を検出する。指紋検出回路１１６で生成された指紋信号は、システムコントローラ１３０内の指紋処理部１３２に入力される。
【００４１】
ディスク検出部１４０は、トレーに光ディスクが載置されたことをＬＥＤを用いて検出し、検出された場合は、バス１１を介して制御部２５に通知する。これを受けて、起動制御部２６はＢＤドライブ７の起動処理を開始させる。
【００４２】
ＢＤドライブ７には、自動クリーニング機構として拭き取りブラシ１０８を備えており、指紋の自動クリーニングを実現することができる。しかし、ＢＤドライブ７に自動クリーニング機構を備えていない場合は、指紋検出結果が所定レベルよりも悪い場合は、クリーニングを要求する警告画像を表示させることが望ましい。
次に図７を参照する。図４のＲＦサーボアンプ１０４からのＲＦ信号は、図７に示す指紋検出回路１１６内のＬＰＦ１２３０とエンベロープ検波回路１２２０に入力される。エンベロープ検波回路１２２０の出力とＬＰＦ１２３０の出力は、それぞれ２値化回路１２４０に入力されている。２値化回路１２４０では、ＬＰＦ１２３０の出力信号を２値化のための基準レベル（スライスレベル）として、エンベロープ検波回路１２２０の出力信号をスライスする。これにより、指紋のドットに対応するＨｉｇｈレベル（パルス）と、ドット間領域に対応するＬｏｗレベルとの間を遷移する２値化信号（指紋ドット信号）が生成される。
【００４３】
指紋ドット信号は、波形整形部１２５０で波形整形された後、指紋計測部１２００に入力される。指紋ドット信号は、指紋を構成する個々のドットに対応するパルスの列を含むため、パルスの幅やパルス間隔を計測することにより、指紋を他のディフェクトから識別することが可能になる。指紋計測部１２００内のタイマ１２０２は、指紋ドット信号に含まれる個々のパルス（Ｈｉｇｈレベル）の幅、パルスの間隔（Ｌｏｗレベル）を計測する。計測値が、指紋のドットに相当する所定のパルス幅の範囲、およびドット間領域に相当する所定の間隔の範囲内にあれば、指紋ドットの数がカウンタバッファ１２０１に蓄積される。光ビームが複数の指紋ドットを横切ったとき、指紋ドットを通過する毎にドット数が計数される。よって、光ビームが横切るディフェクトが指紋であれば、所定数以上の連続ドットが検出される。カウンタバッファ１２０１のカウント値（出力信号）は、比較器１２０４で所定値と比較される。カウンタバッファ１２０１のカウント値が所定値以上であれば、比較器１２０４から比較結果がゲート回路１２０３へ通知される。ゲート回路１２０３は、比較器１２０４の出力に基づいて指紋であるか否かの信号（指紋信号）を生成する。指紋信号は、ゲート回路１２０３から制御部１２１０へ帰還される。この帰還により、タイマ１２０２、カウンタバッファ１２０１はプリセットされる。また、次の指紋検出状態に遷移するとともに、指紋検出回路１１６から、図４に示すシステムコントローラ１３０内の指紋処理部１３２へ指紋信号を出力する。
なお、塵埃や傷によってＲＦ振幅が著しく低下することをＢＤＯ（ブラックドットアウト）と称する。本明細書では、塵埃や傷などによるディフェクト（指紋以外のディフェクト）を「ＢＤＯ」と称する場合がある。光ビームがＢＤＯを通過した場合は、２値化回路１２４０からは、１パルスの長い信号しか出力されない。このため、タイマ値の幅制限、または、カウンタバッファの計数値の制限から、ゲートは“Ｌ”のままとなる。この状態で制御部１２１０はタイマ１２０２、カウンタバッファ１２０１をプリセットするため、光ビームがＢＤＯを通過した場合に指紋信号は出力されない。
次に、図８および図９を参照して、ディフェクトによる信号波形の変化を説明する。
【００４４】
図８および図９は、それぞれ、ＢＤ用の光ビームが指紋およびＢＤＯを通過したときの上記指紋検出回路の各部信号波形を示すタイミングチャートである。より詳細には、図８（ａ）は、光ビームスポット１０ａと指紋ドット２０とを模式的に示す平面図である。図８（ｂ）は、光ビームスポット１０ａが指紋ドット２０を通過するときのＲＦサーボアンプ１０４の出力（ＲＦ信号）の波形を示している。図８（ｃ）はエンベロープ検波回路１２２０の出力、図８（ｄ）はＬＰＦ１２３０の出力、図８（ｅ）は２値化回路１２４０によって２値化整形された信号（指紋ドット信号）、図８（ｆ）はゲート回路１２０３から出力される指紋信号の各波形を示している。
【００４５】
一方、図９（ａ）は、光ビームスポット１０ａとＢＤＯとを模式的に示す平面図である。図９（ｂ）は、光ビームスポット１０ａがＢＤＯを通過するときのＲＦサーボアンプ１０４の出力（ＲＦ信号）の波形を示している。図９（ｃ）は、エンベロープ検波回路１２２０の出力、図９（ｄ）はＬＰＦ１２３０の出力、図９（ｅ）は、２値化回路１２４０によって２値化整形された信号（指紋ドット信号）、図９（ｆ）はゲート回路１２０３から出力される指紋信号の各波形を示している。
前述したように、ＢＤの光ビームスポット１０ａの直径は、ＤＶＤの光ビームスポット１０ｂの直径の約１／４〜１／５の大きさであり、この大きさは指紋ドット２０のサイズやドット間隔に近い。このため、光ビームスポット１０ａが指紋を横切るとき、図８（ｂ）に示すように、反射光のＲＦ信号の振幅に変化が生じる。ＲＦ出力の振幅低下は、指紋を構成する個々の指紋ドットを光ビームスポット１０ａが横切るときに反射光量が低下するために発生する。
図８（ｄ）は、図８（ｂ）の信号がＬＰＦ１２３０を通過した後のＬＰＦ出力を示している。この「ＬＰＦ出力」によって規定される「基準検出レベル」と、エンベロープ検波回路１２２０の出力（図８（ｃ））とを比較して２値化すれば、図８（ｅ）に示すように、指紋ドットに応じた波形を有する指紋ドット信号を得ることができる。タイマ１２０２によって指紋ドット信号が所定のパルス幅（“Ｈ”幅）、パルス間隔（“Ｌ”幅）であれば、カウンタバッファ１２０１に蓄積される。比較器１２０４で指紋ドット信号のパルスが連続して所定値以上（例えば、３回以上）であると判断された場合、図８（ｆ）に示すように、ゲート回路１２０３が指紋信号を生成・出力する。またタイマ１２０２によって指紋ドット信号間の間隔（“Ｌ”幅）がｔ３＜“Ｌ”幅になると、指紋信号をＨレベルからＬレベルに変更する。
一方、ＢＤＯは指紋ドットに比べて大きいため、図９（ｂ）に示すように、ＲＦ信号の振幅が相対的に長い期間にわたり大きく低下する。このようなＲＦ信号がＬＰＦ１２３０を通過すると、図９（ｄ）に示すＬＰＦ出力が得られる。
図９（ｃ）のエンベロープ検波回路の出力を２値化回路１２４０で２値化すれば、図９（ｅ）に示すように、ＢＤＯの大きさに応じた波形を有する指紋ドット信号を得ることができる。この指紋ドット信号は、タイマ１２０２でパルス幅（“Ｈ”幅）が測定され、この場合のパルス幅がｔ１＜“Ｈ”幅＜ｔ２ではないのでカウンタバッファ１２０１にはカウントアップされない。よってこの場合は、図９（ｆ）に示すように、指紋信号は出力されない。
単層ＢＤで指紋を走査した場合や、多層ＢＤで指紋を走査した場合でも同様に指紋の検出を行うことができる。
【００４６】
次に本発明の他記録媒体への代替記録を行う処理について説明する。図１０は本発明による代替記録および自動ダビングを行う処理フローである。
【００４７】
図１０におけるＳ１０１では、ユーザ操作受付部８を介して、ユーザから予約録画の予約情報が入力される。この入力された予約情報は予約設定部２１によって予約情報保持部２３に保持される。予約録画設定のステップにおいてユーザが録画先をＢＤドライブ7のＢＤディスクに設定したとする。
【００４８】
Ｓ１０２では、ユーザは、ＢＤドライブ７のトレーにＢＤなどの光ディスクを搭置する。ディスク検出部１４０は、トレーに光ディスクが搭置されたことを検知すると、制御部９にその旨を通知する。起動制御部２６はＢＤドライブ７の起動を開始させる。
【００４９】
Ｓ１０３では、ディスク判別手段１０９がＢＤドライブ７のトレーに載置された光ディスクのディスク判別および多層判別を行う。このディスク判別技術は、例えば特願2008-179855に記載の技術、多層判別技術としては、例えば特開2007-265596号公報に記載の技術を使用することができる。
【００５０】
Ｓ１０４では、Ｓ１０３において判別されたディスクの種別とそのディスクの多層数に基づいてトレーに載置された光ディスクは、ＢＤ以外の光ディスク、３層以上のＢＤディスク、単層あるいは２層のＢＤディスクの何れかに分類される。ＢＤドライブ７はＢＤ以外の光ディスクの記録および再生動作ができないとすると、搭載された光ディスクはＢＤ以外の光ディスクであると判定された場合、Ｓ１０５において表示部２９がＯＳＤ生成部４、及びオーバレイ部５によるＯＳＤ表示を制御して、ユーザに搭載された光ディスクでは、記録動作ができないことを通知する警告画像をモニタ２０２へ表示させる。
【００５１】
搭載された光ディスクは３層以上のＢＤディスクであると判定された場合、Ｓ１０６において予約録画制御部２８は、予約情報保持部２２に記録されている番組（タイトル）の放送開始時刻ｔ２と光ディスクが３層以上のＢＤであるという通知を受けた時刻ｔ１との差と、図５に示される処理時間記録部２３に記録されるディスクの多層数に対応した、起動処理時間、指紋処理時間、自動クリーニング時間の合計の起動処理時間Ａを比較する。図６（a)に示す状況である場合は、予約録画制御部２８がｔ２-ｔ１≧Ａと判定する。
図５にはＢＤ単層から２０層に対応したディスク判別/多層判別処理後からの残りの起動処理時間、指紋検出処理時間、自動クリーニング時間、およびそれらの合計の起動処理時間を示す。上記残りの起動処理時間には、各層の厚みばらつきを吸収するための球面収差とフォーカス制御位置の学習といった各層のサーボの調整項目などがある。例えば、８層のＢＤでは、残りの起動処理時間に５５秒、指紋検出処理時間に１秒、自動クリーニング時間に２秒の合計処理時間が５８秒かかることを示している。ただし、自動クリーニングは指紋検出結果が悪い場合に行うので、上記合計の起動処理時間は自動クリーニングを行うことを想定したＭＡＸ時間であることに注意されたい。
その後、指紋検出処理Ｓ１０７、自動クリーニング処理Ｓ１０８、起動処理Ｓ１０９を行う。Ｓ１０８の自動クリーニング処理は拭き取りブラシ１０８を用いて行われる。この自動クリーニング技術は、特願2008-179855に記載の技術を用いることができる。この自動クリーニング処理は、常に行うのではなく、Ｓ１０７における指紋検出処理の結果が所定レベルよりも多くの指紋が光ディスク表面に付着していると判断される場合に限られる。従って指紋検出処理の結果が所定レベルよりも少ない指紋が光ディスク表面に付着していると判断される場合はＳ１０８の自動クリーニング処理はスルーされてＳ１０９の起動処理が開始される。
Ｓ１１０では、番組の放送開始時刻ｔ２になると、録画部３０は、ＢＤドライブ７による番組の書き込みを制御し、さらに、記録した番組に対応付けて番組情報をＢＤドライブ７に記録させる。
またＳ１０６において図６（b)に示す状況である場合は、予約録画制御部２８がｔ２-ｔ１＜Ａと判定する。この場合は、放送開始時刻ｔ２までにＢＤドライブ７が起動処理が完了できないので、Ｓ１１１において、録画部３０は、他記録媒体としてＨＤＤ６に代替録画をさせる。
またＳ１０４において搭載された光ディスクは単層/２層のＢＤディスクであると判定された場合、Ｓ１１３では予約録画制御部２８がｔ２-ｔ１≧Ｂであるかを判定する。予約録画制御部２８がｔ２-ｔ１≧Ｂであると判定した場合、起動処理Ｓ１１４を行う。ここで、処理時間Ｂは図５に示されるディスクの単層/２層に対応した起動処理時間である。その後、Ｓ１１５では、番組（タイトル）の放送開始時刻ｔ２になると、録画部３０は、ＢＤドライブ７による番組の書き込みを制御し、さらに、記録した番組に対応付けて番組情報をＢＤドライブ７に記録させる。
Ｓ１１３において予約録画制御部２８がｔ２-ｔ１＜Ｂと判定した場合、放送開始時刻ｔ２までに起動処理ができないので、Ｓ１１１において録画部３０は、他記録媒体としてＨＤＤ６に代替録画をさせる。
またＳ１１２では、ダビング制御部２７は、Ｓ１１１においてＨＤＤ６に代替録画された番組を、ダビング情報保持部３１に記録されたダビング情報を用いてＢＤドライブ７のトレーに載置されたＢＤディスクに自動ダビング処理を行う。
以上のように本発明のＢＤドライブ７では、判定手段（予約録画制御部２８）がディスクの層数に基づいて算出される起動処理の終了時刻と録画開始時刻とに基づき、録画先を光ディスクまたは他の記録媒体に決定するので、録画先に指定された光ディスクまたは他の記録媒体に確実に録画することができる。そのため、ユーザにとって必要な録画開始部分が欠落した録画を回避することができる。
また、ダビング制御部２７が、録画部３０によって他の記録媒体（ＨＤＤ６）に録画させたデータを光ディスクに自動ダビングさせるので、ユーザは他の記録媒体に代替録画されたことを意識しなくて済む。
なお、ＢＤドライブ７に指紋クリーニング機構（拭き取りブラシ１０８）が搭載した場合について説明したが、ＢＤドライブ７に指紋クリーニング機能が搭載されていない場合は、ユーザに表示部２９が指紋検出結果について表示させ、指紋検出結果が悪い場合はアクション対応として指紋のクリーニングを促す通知制御を行うことになる。ユーザがクリーニング通知を受けてからその光ディスクをイジェクトさせて指紋を拭き取り後、トレーに載置させるまでの想定される所要時間を、処理時間保持部２３に保持させておき、自動クリーニング処理時間に代えてこの所要時間を用いた判断を図１０のＳ１０６において行う必要がある。つまり、指紋クリーニング機能が搭載されていないＢＤドライブ７では、判定手段（予約録画制御部２８）が指紋検出部１１６による光ディスク表面の指紋検出処理、指紋結果の通知処理、ユーザによる指紋拭き処理、および光ディスクの層数に基づいて算出される起動処理の全ての処理が終了する終了時刻と、録画開始時刻とに基づき、録画の録画先を光ディスク又は他の記録媒体に決定すれば、録画が可能となる処理時間が最大となる状況においても予約録画において番組の冒頭部分が欠落した録画を回避することができる。
本実施形態では、本発明の録画装置としてＨＤＤ内蔵光ディスクレコーダに適用した場合について説明したが、ムービにも適用することができる。つまり、ムービに於ける判定部が、録画開始ボタンが押下された録画開始時刻と、起動処理の終了時刻とに基づいて、録画の録画先を光ディスクまたは他の記録媒体に決定すればよい。
ムービにおいては、光ディスクの装填が光ディスクレコーダよりも難しいので、光ディスク表面に指紋や塵埃が付きやすい。そのため、ムービによる光ディスクの記録または再生動作は、指紋や塵埃などの影響によりに光ディスクレコーダよりも弱い。そのため、図１０のＳ１０７における指紋処理の結果が悪い場合が多く、Ｓ１０８において自動クリーニング処理を行う頻度が多くなり、その分だけ余計に録画開始が遅れるので本発明の代替記録の効果が特に有効に発揮し得る。  
【産業上の利用可能性】
【００５２】
本発明の光ディスク装置を搭載した録画装置は、録画先の光ディスクとしてＤＶＤに比べ指紋に対して敏感となったＢＤなどの次世代の光ディスクであって録画開始できるまでの所要時間がより必要となる多層化された光ディスクに特に有効である。
【図面の簡単な説明】
【００５３】
【図１】第１実施形態に係る融合型レコーダの利用形態を示す図
【図２】ＨＤＤ内蔵光ディスクレコーダ２００のハードウェア構成を示す図
【図３】マイコンシステム９の機能構成を示すブロック図
【図４】ＢＤドライブ７の構成を示すブロック図
【図５】ＢＤディスクの多層数に対応する起動処理時間、指紋処理時間、自動クリーニング時間、およびそれらの合計の起動処理時間を記録する処理時間保持部の記録内容を示す図
【図６】（放送開始時刻ｔ２−時刻ｔ1）と起動処理時間とを比較した図
【図７】指紋検出回路１１６の機能ブロックを示す図
【図８】（ａ）は、光ビームと指紋ドットとの配置関係を模式的に示す平面図、（ｂ）から（ｆ）は、図７の指紋検出の動作を説明するための各部の信号波形図
【図９】（ａ）は、光ビームとＢＤＯとの配置関係を模式的に示す平面図、（ｂ）から（ｆ）は、図７の指紋検出の動作を説明するための各部の信号波形図
【図１０】本発明による代替記録および自動ダビング処理を示すフローチャート
【符号の説明】
【００５４】
６    ＨＤＤ
７    ＢＤドライブ
２７    ダビング制御部
２８    予約録画制御部（判定手段）
１００    光ディスク
１０８    拭き取りブラシ（自動クルーニング機構）
１０９    ディスク判別部
１１６    指紋検出回路
２００    光ディスクレコーダ
【図１】
2010140517.tif 000003
【図２】
2010140517.tif 000004
【図３】
2010140517.tif 000005
【図４】
2010140517.tif 000006
【図５】
2010140517.tif 000007
【図６】
2010140517.tif 000008
【図７】
2010140517.tif 000009
【図８】
2010140517.tif 000010
【図９】
2010140517.tif 000011
【図１０】
2010140517.tif 000012